(57)【要約】【課題】光軸がずれないようランプモジュールと筺体を簡易な構造で固定するとともに、衝撃をうけてもアライメントが簡単に狂わないプロジェクタを提供する。【解決手段】ランプモジュール１４ａは、筺体１６の垂直方向に形成された位置決め穴に挿入することで、上記ランプモジュールの水平面内での移動を規制する二本の位置決めピン１５ｂ２、１５ｂ３を有し、筺体１６は、天井面内壁から内側に延設する第一のリブ１６ｂ１と底面内壁から内側に延設する第二のリブ１８ｂ１、１８ｂ２、１８ｂ３とを有し、ランプモジュール１４ａを上記位置決めピン１５ｂ２、１５ｂ３にて水平方向の位置決めを行い、第一のリブ１６ｂ２と第二のリブにて上下方向を狭持することで、光軸のアライメントを固定するよう筺体内に収容される。【選択図】図６
2007316312.tif 000002
【特許請求の範囲】
【請求項１】
光源としてのランプを収容するランプモジュールと、
底面に開口したランプモジュール収容部から、上記ランプモジュールを収容するとともに、上記ランプモジュール収容部の開口を、蓋体により蓋をすることで上記ランプモジュールからの光源の光軸を所定方向に固定する筺体とを有するプロジェクタにおいて、
上記ランプモジュールは、上記光軸の水平面内での動きを規制するため、上記光軸と略垂直に立設する二本の位置決めピンと、上記位置決めピンの立設する方向にネジが貫通するボスとを有し、
上記筺体は、上記ランプモジュール収容部に上記ランプモジュールを収容した際、ランプモジュールとの間に微小の隙間を形成するよう、上記ランプモジュール収容部の底面である天井面の裏面から内側に延設する第一のリブと、上記蓋体より略コの字断面を有して立設するとともに、３角形状を形成して立設する３個の第二のリブとを有し、
上記ランプモジュール収容部は、上記ランプモジュールの二本の位置決めピンが挿入される位置決め穴と、上記ボスを貫通するネジが螺合する雌ネジが形成された受け部とを有する位置決め部を有し、
上記位置決めピンを上記位置決め部の位置決め穴に挿入して位置決めしつつ、上記ボスを貫通するネジを受け部の雌ネジと螺合させて水平面内での動きの規制を行い上記ランプモジュール収容部に収容した後、上記ランプモジュール収容部の開口部を蓋体にて蓋をするようネジ止めすることで、上記ランプモジュール収容部の底面に形成された上記第一のリブと、上記蓋体に形成された第二のリブにて垂直方向の動きを規制して、上記ランプモジュールから照射される光源の光軸のアライメントを固定することを特徴とするプロジェクタ。
【請求項２】
光源としてのランプを収容するランプモジュールと、
上記ランプモジュールの光軸を所定方向に保つよう内部に固定する筺体とを有するプロジェクタにおいて、
上記ランプモジュールは、筺体の垂直方向に形成された位置決め穴に挿入することで、上記ランプモジュールの水平面内での移動を規制する二本の位置決めピンを有し、
上記筺体は、天井面内壁から内側に延設する第一のリブと底面内壁から内側に延設する第二のリブとを有し、
上記ランプモジュールを上記位置決めピンにて水平面内での位置決めを行い、一本のネジにて固定した後、上記第一のリブと第二のリブにて上下方向を狭持することで、光軸のアライメントを固定するよう筺体内に収容されることを特徴とするプロジェクタ。
【請求項３】
上記筺体は、底面に開口したランプモジュール収容部から、上記ランプモジュールを収容するとともに、上記底面のランプモジュール収容部の開口を、蓋体により蓋をすることで上記ランプモジュールを内部に収容する構造であって、
上記第二のリブは、上記蓋体の上記ランプモジュールと対向する面に形成されていることを特徴とする請求項２に記載のプロジェクタ。
【請求項４】
上記第二のリブは、略コの字断面を有して底面より立設することを特徴とする請求項２または請求項３のいずれかに記載のプロジェクタ。
【請求項５】
上記ランプモジュールを筺体内に固定した際、上記第一のリブは、上記ランプモジュールと微小の隙間を形成して延設するよう形成されていることを特徴とする請求項２〜請求項４のいずれかに記載のプロジェクタ。
【発明の詳細な説明】
【技術分野】
【０００１】
本発明は、プロジェクタに関し、特に、ランプモジュールからの光軸がずれないよう所定の位置に固定するプロジェクタに関する。 
【背景技術】
【０００２】
図８は、従来のプロジェクタの構成図である。同図より、プロジェクタ１は、筺体２の前面側に光源としてのランプ３ａを収容するランプモジュール３と、上記ランプからの光源を基に映像を生成するエンジンモジュール４、上記エンジンモジュール４が生成した映像を投射する投射レンズ５を配置している。ランプ３ａから照射される光源は、エンジンモジュール４にて反射され、ＤＭＤ４ａを通って、最後には投射レンズ５から照射される。このため、ランプ３ａを筺体２に固定するランプモジュール３は、光源のアライメントがずれないよう、筺体２に固定される必要がある。
【０００３】
従来筺体２にランプモジュール３を固定する方法としては、複数のネジを用いて、ランプモジュール３の水平方向と垂直方向を固定することで、アライメントがずれるのを防止してきた。しかしながら、ランプモジュール３を複数のネジにて固定する場合、当然各ネジによるランプモジュール３の位置決め精度を高める必要があるとともに、ランプモジュール３を位置決めする際、各ネジの雌ネジに対する交差により基準が揃わず組み立てに手間が掛かっていた。
【０００４】
光軸がずれないようランプモジュールを筺体に固定する方法としては、ランプモジュールの上面と下面を狭持するよう形成された位置決め面と、ランプモジュールの光源照射面と対向する面に形成された凸部と、ランプモジュールを収容した際、上記凸部を押し当てるコイルスプリングを有し、上記位置決め面にて上下方向の動きを規制した後、コイルスプリングにてランプモジュールの凸部を押し当てて保持する方法が開示されている（例えば、特許文献１参照。）。
【０００５】
また、固定用ネジにて筺体に取り付けられる、ランプモジュールの取り付け、並びに取り外しを簡単にするために、工具の変わりに、蓋体に上記固定用ネジと係合する突起を形成し、上記蓋体の突起により固定用ネジを締めたり緩めたりする方法が開示されている（例えば、特許文献２参照。）。
【０００６】
さらには、ランプモジュールに形成した凸部と、対向するよう筺体側に抜け止め部材を形成し、ランプモジュールと筺体を固定する方法が開示されている（例えば、特許文献３参照。）。
【特許文献１】実用新案登録第３０９２１６１号
【特許文献２】特開２００４−３４７７８９
【特許文献３】特開２００５−４３６０３
【発明の開示】
【発明が解決しようとする課題】
【０００７】
上述した特許文献１の発明は、次のような課題があった。つまり、筺体内の内壁にて位置決め面を形成して、ランプモジュールを狭持しているだけなので、落下等による衝撃によりランプモジュールの光軸が容易にずれてしまうことがあった。
【０００８】
また、特許文献２の発明は、次のような課題がった。つまり、ランプモジュールを筺体からはずしやすくするためのものであり、ランプモジュールから照射される光軸のずれを防止するものではない。
【０００９】
さらに、特許文献３の発明は、筺体内に抜け止め防止部材を形成する必要があり、当然ランプモジュールを収容する筺体の形状が複雑になり、筺体を製作するのに余分なコストが掛っていた。
【００１０】
本発明は、上記課題にかんがみてなされたもので、光軸がずれないようランプモジュールと筺体を簡易な構造で固定するとともに、衝撃をうけてもアライメントが簡単に狂わないプロジェクタを提供することを目的とする。
【課題を解決するための手段】
【００１１】
上記課題を解決するために、本発明の請求項１にかかる発明では、光源としてのランプを収容するランプモジュールと、底面に開口したランプモジュール収容部から、上記ランプモジュールを収容するとともに、上記ランプモジュール収容部の開口を、蓋体により蓋をすることで上記ランプモジュールの光源の光軸を所定方向に固定する筺体とを有するプロジェクタにおいて、
上記ランプモジュールは、上記光軸の水平面内での動きを規制するため、上記光軸と略垂直に立設する二本の位置決めピンと、上記位置決めピンの立設する方向と略水平にネジが貫通するボスとを有し、上記筺体は、上記ランプモジュール収容部に上記ランプモジュールを収容した際、ランプモジュールとの間に微小の隙間を形成するよう、上記ランプモジュール収容部の底面である天井面の裏面から内側に延設する第一のリブと、上記蓋体より略コの字断面を有して立設するとともに、３角形状を形成して立設する３個の第二のリブとを有し、上記ランプモジュール収容部は、上記ランプモジュールの二本の位置決めピンが挿入する位置決め穴と、上記ボスを貫通するネジが螺合する雌ネジが形成れた受け部を有する位置決め部を有し、
上記位置決めピンを上記固定部の位置決め穴に挿入して位置決めしつつ、上記ボスを貫通するネジを受け部の雌ネジと螺合させて水平面内での動きの規制を行い上記ランプモジュール収容部に収容した後、上記ランプモジュール収容部の開口部を蓋体にて蓋をするようネジ止めすることで、上記ランプモジュール収容部の底面に形成された上記第一のリブと、上記蓋体に形成された第二のリブにて垂直方向の動きを規制して、上記ランプモジュールから照射される光源の光軸のアライメントを固定する構成としてある。
【００１２】
上記のように構成した請求項１にかかる発明においては、上記位置決めピンを上記固定部の位置決め穴に挿入して位置決めしつつ、上記ボスを貫通するネジを受け部の雌ネジと螺合させて水平面内での動きの規制を行い上記ランプモジュール収容部に収容する。そして、上記ランプモジュール収容部の開口部を蓋体にて蓋をするようネジ止めすることで、上記ランプモジュール収容部の底面に形成された上記第一のリブと、上記蓋体に形成された第二のリブにて垂直方向の動きを規制する。これによりランプモジュールの水平方向と垂直方向の動きが規制され、上記ランプモジュールから照射される光源の光軸のアライメントを固定する。
【００１３】
また、上記目的を達成するために、光源としてのランプを収容するランプモジュールと、上記ランプモジュールの光軸を所定方向に保つよう内部に固定する筺体とを有するプロジェクタにおいて、
上記ランプモジュールは、筺体の垂直方向に形成された位置決め穴に挿入することで、上記ランプモジュールの水平面内での移動を規制する二本の位置決めピンを有し、上記筺体は、天井面内壁から内側に延設する第一のリブと底面内壁から内側に延設する第二のリブとを有し、上記ランプモジュールを上記位置決めピンにて水平方向の位置決めを行い、一本のネジにて固定した後、上記第一のリブと第二のリブにて上下方向を狭持することで、光軸のアライメントを固定するよう筺体内に収容されることを特徴とする構成としてある。
【００１４】
上記のように構成した発明において、ランプモジュールは、筺体内に垂直方向に形成された位置決め穴に位置決めピンを挿入して水平面内での動きを規制し、さらには、筺体の天井面と、底面に形成された第一のリブと第二のリブにて上下方向を狭持されて収容されるので、簡易な構造で筺体内にランプモジュールを固定するとともに、衝撃を受けても、位置決めピンとネジによりアライメントが簡単に狂わない構成である。
【００１５】
また、第二のリブの構成の一例として、上記筺体は、底面に開口したランプモジュール収容部から、上記ランプモジュールを収容するとともに、上記底面のランプモジュール収容部の開口を、蓋体により蓋をすることで上記ランプモジュールを内部に収容する構造であって、上記第二のリブは、上記蓋体の上記ランプモジュールと対向する面に形成される構成としてもよい。
【００１６】
上記のように構成した発明では、底面を形成する蓋体に第二のリブを形成するので、第二のリブを形成する際、筺体本体側と蓋体とを分けて製作することが可能となるので、第一のリブと第二のリブを形成する筺体を作り易くすることができる。
【００１７】
そして、第二のリブの具体的な形状の一例として、上記第二のリブは、略コの字断面を有して底面より立設する構成としてある。
上記のように構成した発明において、第二のリブの形状を略コの字断面とすることで、振動を受けた際、コの字断面で衝撃を吸収するとともに、第二のリブを形成する際、筺体底面に引けによる外形不良を防止することができる。
【００１８】
さらに、第一のリブの具体的な形状の一例として、上記ランプモジュールを筺体内に固定した際、上記第一のリブは、上記ランプモジュールと微小の隙間を形成して延設するよう形成さる構成としてもよい。
上記のように構成した発明において、ランプモジュールと第一のリブとの間に微小な隙間を形成することにより、ランプモジュールを筺体に組み付けた際、第一のリブとランプモジュールとの干渉による光軸のずれを防止することができる。
【発明の効果】
【００１９】
以上説明したように本発明によれば、光軸がずれないようランプモジュールと筺体を簡易な構造で固定するとともに、衝撃をうけてもアライメントが簡単に狂わないプロジェクタを提供することができる。
また請求項３にかかる発明によれば、筺体本体側と蓋体とを分けて製作することが可能となるので、第一のリブと第二のリブを形成する筺体を作り易くすることができる。
そして請求項４にかかる発明によれば、第二のリブの形状を略コの字断面とすることで、振動を受けた際、コの字断面で衝撃を吸収するとともに、第二のリブを形成する際、筺体底面に引けによる外形不良を防止することができる。
さらに請求項５にかかる発明によれば、ランプモジュールと第一のリブとの間に微小な隙間を形成することにより、ランプモジュールを筺体に組み付けた際、第一のリブとランプモジュールとの干渉による光軸のずれを防止することができる。
さらに請求項１のような、より具体的な構成において、上述した請求項２〜請求項５の各発明と同様の作用を奏することはいうまでもない。
【発明を実施するための最良の形態】
【００２０】
以下、下記の順序に従って本発明の実施形態であるプロジェクタを説明する。
（１）プロジェクタの構成
（２）ランプモジュール固定方法
（３）変形例
（４）まとめ
【００２１】
（１）プロジェクタの構成 
以下、図１〜図８を参照して、この発明に係るプロジェクタを具体化した実施の形態について説明する。図１は本発明にかかるプロジェクタ１０のブロック構成図である。同図より、プロジェクタ１０は、箱型形状の筺体１６に、ランプからの光源を利用して映像を投射する光学系１４と、光学系１４の制御を行うディジタル基板１１と、ディジタル基板１１に必要な電源を供給する電源基板１３と、パソコン等の外部機器からの映像信号と音声信号を入力するとともに、リモコン１０ａから送信される操作信号を受け入れる入出力基板１２とを収容する構成である。以下に各要素の説明と、プロジェクタ１０の機能を説明する。
【００２２】
入出力基板１２は、入出力端子１２ｂと、赤外線受光変換部１２ａとを実装するとともに、入出力端子１２ｂと赤外線受光変換部１２ａからの信号をディジタル基板１１に出力する。入出力端子１２ｂは、パソコン等の外部機器から映像信号と音声信号を受け取るための映像端子と音声端子とを有し、映像端子や音声端子を介して入力された映像信号と音声信号をディジタル基板１１に出力する。赤外線受光変換部１２ａは、リモコン１０ａを介して送信された赤外線の操作信号を受光するとともに、上記受光した赤外線信号を所定の電圧値を有する操作信号に変換して、ディジタル基板１１に出力する。上記した入出力端子１２ｂと赤外線受光変換部１２ａからの信号出力は、信号ラインを介してディジタル基板１１に出力される。
【００２３】
ディジタル基板１１は、片面に、マイコン１１ａ、記録部１１ｂ、映像信号処理部１１ｄ、ＯＳＤ（オンスクリーンディスプレイ）回路１１ｃを構成するＩＣ素子等を実装している。上記ディジタル基板１１内のマイコン１１ａ、記録部１１ｂ、映像信号処理部１１ｄ、ＯＳＤ回路１１ｃはバスにて接続されており、マイコン１１ａは赤外線受光変換部１２ａからの操作信号を受け入れ、記録部１１ｂに記録された所定のプログラムに基づいて、映像信号処理部１１ｄ、およびＯＳＤ回路１１ｃに所定の指示を出すとともに、回路全体を制御する。
【００２４】
映像信号処理部１１ｄは、信号ラインを介して入出力端子１２ｂから入力される映像信号を赤Ｒ、緑Ｇ、および青Ｂの３原色のＲＧＢ信号に分解した後、マイコン１１ａからの制御信号に基づいてＲＧＢ信号の色レベル等の補正を行い、上記補正を行ったＲＧＢの信号を光学系１４へと出力する。また、ＯＳＤ回路１１ｃは、映像信号処理部１１ｄに接続され、スクリーンにＯＳＤ表示する画像を表すＯＳＤ信号を生成し映像信号に重畳する。ディジタル基板１１は、マイコン１１ａの制御により、赤外線受光変換部１２ａからの操作信号を受け付け、受け付けた操作信号に対応したＯＳＤ信号を生成する。
【００２５】
電源基板１３は、コンセント１３ａを介して供給される外部電源（例えば１００Ｖ商用電源）をサイリスタにて構成される整流回路にて整流した後、プロジェクタ１０を動作するために必要な交流電源を再度生成してディジタル基板１１、および光学系１４に供給する。
【００２６】
光学系１４は、上記映像信号処理部１１ｄにて生成された映像信号を基にマイコン１１ａの制御によってＲＧＢの光を生成し、上記生成した光を投射レンズを介してスクリーン等に出射する。図２は、本発明の光学系１４の配置図である。同図より、光学系１４は、光源を照射するランプモジュール１４ａと、ランプモジュール１４ａからの光源を所定の光軸で外部に照射するエンジン部１４ｂとから構成されている。ランプモジュール１４ａは、光源としてのランプ１４ａ１と、ランプ１４ａ１の光源を所定方向に集めるランプリフレクタ１４ａ２、ランプ１４ａ１とランプリフレクタ１４ａ２を収容するランプケース１５とから構成されている。
【００２７】
また、エンジン部１４ｂは、ランプモジュール１４ａから照射された光源からＲＧＢの３原色を形成するカラーホイル１４ｂ１と、カラーホイル１４ｂ１にて形成された光を直進させるライトパイプ１４ｂ２と、ライトパイプ１４ｂ２から照射された光を反射させるミラー１４ｂ４と、光を一定形状に加工するイルミネーションレンズ１４ｂ３、さらには入射した光を所定方向に反射させて投射レンズ１４ｃに投射するＤＭＤ１４ｂ５とから構成している。図中、点線で表された線は、光学系１４内での光軸の軌跡を表している。ランプ１４ａ１から照射された光源は一定光軸を保ったまま、ＤＭＤ１４ｂ５に照射される。
【００２８】
図中、２点鎖線の矢印は、光の進行方向を示している。ランプ１４ａ１から出射した白色光は、カラーホイル１４ｂ１によりＲＧＢの各色光に分離され、同分離された光はライトパイプ１４ｂ２により集められ、ミラー１４ｂ４に案内される。ライトパイプ１４ｂ２から出射した光は、ライトパイプ１４ｂ２とミラー１４ｂ４との間に介在するイルミネーションレンズ１４ｂ３により集光されてミラー１４ｂ４に入射し、ミラー１４ｂ４により反射される。ミラー１４ｂ４により反射された光は、イルミネーションレンズ１４ｂ３により集光されてＤＭＤ１４ｂ５に入射する。ＤＭＤ１４ｂ５の構成は周知技術であるため、ここでは簡略的な説明のみを行うが、ＤＭＤ１４ｂ５は反射面上に複数のマイクロミラーを配置し、各マイクロミラーの角度を変化させることにより反射する光の位置を変えて映像を生成してる。そのため、図の点線で表された光軸がずれてしまうと、投射レンズ１４ｃより投射される映像は、輝度の低下などの不良を発生させる原因となる。
【００２９】
図３は、本実施形態でのランプモジュール１４ａを表す図である。同図より、ランプケース１５は、ランプリフレクタ１４ａ２を収容する開口を有する本体１５ａと、本体１５ａの開口より収容されたランプリフレクタ１４ａ２から照射される光源が通過する光源投射窓１５ｂ１を有するとともに、本体１５ａの開口の蓋をしてランプリフレクタ１４ａ２を密閉する位置決め部１５ｂとを有する構造である。本発明のランプモジュール１４ａは、ランプ１４ａ１、並びにランプリフレクタ１４ａ２を密閉する密閉型のランプケース１５を使用しているが、ランプケース１５の形状はこれに限定されず、筺体１６に固定される形状を有するものであればよい。
【００３０】
また、ランプケース１５の位置決め部１５ｂは、筺体１６にランプケース１５を固定する際、後述する方法で使用される位置決めピン１５ｂ２、１５ｂ３、さらには、ネジ用のボス１５ｂ４とを有している。位置決めピン１５ｂ２、１５ｂ３は、位置決め部１５ｂの側面より立設して形成されている。また、ボス１５ｂ４は、位置決めピン１５ｂ２、１５ｂ３の延設方向と略平行にネジが貫通するネジ穴を形成している。本発明の実施形態であるランプケースの位置決め部１５ｂは、マグネシュウムの鍛造により形成してる。また、位置決めピンは、精度を保障するために位置決め部１５ｂと一体にて形成している。しかしながら、位置決め部１５ｂの構成はこれに限定されず、ランプケース１５が必要とする精度に合わせて材質等を選択すればよい。
【００３１】
上述したランプケース１５を収容するために筺体１６は、底面にランプケース１５を収容するための開口部を形成するとともに、上記開口部を蓋体にて蓋をすることにより筺体１６内に収容する構成である。図４は、筺体１６を底面から見た図である。同図より、底面１６ａに形成されたランプモジュール収容部１６ａ１の内部には、上述した、ランプモジュール１４ａからの光源をエンジン部１４ｂに送る、光軸路１７ａが形成されたランプケース固定部１７が固定されている。ランプケース固定部１７は、上記したエンジン部１４ｂが実装され、光軸路１７ａから送られた光をエンジン部１４ｂへと送る。
【００３２】
ランプケース固定部１７は、上記したランプケース１５の位置決めピン１５ｂ２、１５ｂ３が挿入する位置決め穴１７ｂ、１７ｃを図中下方に配置し、ボス１５ｂ４の先端が挿入するとともに、ボス１５ｂ４を貫通するネジと螺合する雌ネジ部を有する受け部１７ｄを図中上方に配置する。また、ボス１５ｂ４の先端が挿入する受け部１７ｄの受け面１７ｄ１は、すり鉢状の凹部を有する形状である。そのため、ランプケース１５の位置決めピン１５ｂ２、１５ｂ３が位置決め穴１７ｂ、１７ｃに挿入されるとともに、ボス１５ｂ４の先端を受け面１７ｄ１に挿入することで、ボス１５ｂ４の傾きを吸収する働きがある。本発明の実施形態としてのランプケース固定部１７は、ランプケース１５の位置決め部１５ｂと同様にマグネシュウムにより形成され、位置決め精度を保障している。
【００３３】
また、ランプモジュール収容部１６ａ１の底面、つまり天井面の裏面には、所定長だけ突出した第一のリブ１６ｂ１が形成されている。第一のリブ１６ｂ１の具体的な形状は、後述するが本実施形態では、上記第一のリブ１６ｂ１を一体成形にて形成している。
【００３４】
上述したランプモジュール収容部１６ａ１にランプモジュール１４ａを収容した後、ランプモジュール収容部１６ａ１の開口を塞ぐためにプロジェクタ１０は、蓋体１８を有する構成である。図５は、蓋体の形状を表す図である。同図より、蓋体１８は、ランプモジュール収容部１６ａ１の開口部を塞ぐベース部１８ａと、上記ベース部１８ａから略垂直に立設する第二のリブ１８ｂ１、１８ｂ２、１８ｂ３とを有する形状である。３個の第二のリブ１８ｂ１、１８ｂ２、１８ｂ３は、ベース部１８ａから、略３角形状に放射して配置するとともに、ベース部１８ａから立設する高さを略同一にするよう樹脂にて一体形成されている。これにより、ランプモジュール収容部１６ａ１の開口に蓋をした際、第二のリブ１８ｂ１、１８ｂ２、１８ｂ３とがランプモジュール１４ａと対向する位置に形成される。
【００３５】
また、各第一のリブ１８ｂ１、１８ｂ２、１８ｂ３の断面は、略コの字状に形成されている。このため、第一のリブ１８ｂ１、１８ｂ２、１８ｂ３にて、ランプモジュール１４ａを狭持した状体で、ランプモジュール１４ａから伝わる振動は、上記したコの字断面により吸収されることとなる。また、蓋体を形成する際、第一のリブ１８ｂ１、１８ｂ２、１８ｂ３はコの字であるため中心が中空となり、成形時の引けを防止する働きがある。このため、蓋体の外見を綺麗に見せることができる。
【００３６】
（２）ランプモジュールの固定方法
上述した筺体１６、と蓋体１８を使用したランプモジュール１４ａの固定方法を説明する。図６は、筺体内で固定されるランプモジュールを表す図である。同図より、ランプモジュール１４ａを固定する方法として、まず、筺体１６を底面１６ａを上方に向けて、ランプモジュール収容部１６ａ１の開口部を上にする。次に、ランプモジュール１４ａを、ランプモジュール収容部１６ａ１に収容する。このとき、ランプケース１５の位置決め部１５ｂに形成された位置決めピン１５ｂ２、１５ｂ３を、ランプモジュール収容部１６ａ１内のランプケース固定部１７の位置決め穴１７ｂ、１７ｃ、に挿入するとともに、位置決め部１５ｂのボス１５ｂ４を、位置決め部１５ｂの受け部１７ｄの受け面１７ｄ１に挿入する。その状態で、ボス１５ｂ４と受け部１７ｄをネジ１９にて固定する。
【００３７】
最後に、ランプモジュール収容部１６ａ１の開口部を、蓋体１８にて蓋をするよう筺体１６と、蓋体１８をネジ止めする。上述した状態により、ランプモジュール１４ａは、２本の位置決めピン１５ｂ２、１５ｂ３、さらにはネジ１９にて水平面内での動きを規制され、筺体１６の天井面１６ｂの裏面に形成された第一のリブ１６ｂ１と、蓋体１８に形成された三個の第二のリブ１８ｂ１、１８ｂ２、１８ｂ３にて垂直方向を狭持されて固定される。上述した構成により、ネジを一本した使用しない簡易な構造で筺体１６にランプモジュール１４ａを固定することができ、さらには衝撃を受けても、２本の位置決めピン１５ｂ２、１５ｂ３とネジ１９、さらには、リブにおける衝撃吸収作用によりアライメントが簡単に狂わない構成である。
【００３８】
（３）変形例
上述した構成では、第一のリブ１６ｂ１と第二のリブ１８ｂ１、１８ｂ２、１８ｂ３により、ランプモジュール１４ａを狭持したが、第一のリブ１６ｂ１の形状を工夫することで、ランプモジュール１４ａを筺体に組み付け易くすることが可能となる。図７は、筺体１６内に収容されるランプモジュール１４ａの拡大図である。同図より、ランプモジュール１４ａは、筺体１６内にて垂直方向を挟まれて固定されるが、このとき、第一のリブ１６ｂ１とランプモジュール１４ａのランプケース１５との間には微小の隙間を形成させている。
【００３９】
本実施形態では、上記したランプケース１５と第一のリブ１６ｂ１との隙間を０．５ミリほどとしている。これにより、ランプモジュール１４ａを上述した、位置決めピン１５ｂ２、１５ｂ３、並びにネジ１９を用いて固定する際、第一のリブ１６ｂ１と、ランプケース１５の外面が干渉して、位置決めピン１５ｂ２、１５ｂ３が確実に挿入されず、光軸がずれた状態で固定されるのを防止することが可能となる。
【００４０】
（４）まとめ
光軸がずれないようランプモジュールと筺体を簡易な構造で固定するとともに、衝撃をうけてもアライメントが簡単に狂わないプロジェクタを提供するために、上記ランプモジュールは、筺体の垂直方向に形成された位置決め穴に挿入することで、上記ランプモジュールの水平面内での移動を規制する二本の位置決めピンを有し、上記筺体は、天井面内壁から内側に延設する第一のリブと底面内壁から内側に延設する第二のリブとを有し、上記ランプモジュールを上記位置決めピンにて水平方向の位置決めを行い、一本のネジにて固定した後、上記第一のリブと第二のリブにて上下方向を狭持することで、光軸のアライメントを固定するよう筺体内に収容される。
【００４１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４２】
【図１】プロジェクタのブロック構成図を表す図である。
【図２】光学系を表す図である。
【図３】ランプモジュールを表す図である。
【図４】筺体を底面から見た図である。
【図５】蓋体の形状を現す図である。
【図６】筺体内で固定されるランプモジュールを表す図である。
【図７】筺体内に収容されるランプモジュールの拡大図である。
【図８】従来のプロジェクタの構成図である。
【符号の説明】
【００４３】
１０…プロジェクタ、１０ａ…リモコン、１１…ディジタル基板、１１ａ…マイコン、１１ｂ…記録部、１１ｃ…ＯＳＤ回路、１１ｄ…映像信号処理部、１２…入出力基板、１２ａ…赤外線受光変換部、１２ｂ…入出力端子、１３…電源基板、１３ａ…コンセント、１４…光学系、１４ａ…ランプモジュール、１４ａ１…ランプ、１４ａ２…ランプリフレクタ、１４ｂ…エンジン部、１４ｂ１…カラーホイル、１４ｂ２…ライトパイプ、１４ｂ３…イルミネーションレンズ、１４ｂ４…ミラー、１４ｂ５…ＤＭＤ、１４ｃ…投射レンズ、１５…ランプケース、１５ａ…本体、１５ｂ…位置決め部、１５ｂ１…光源投射窓、１５ｂ２、１５ｂ３…位置決めピン、１５ｂ４…ボス、１６…筺体、１６ａ…底面、１６ａ１…ランプモジュール収容部、１６ｂ…天井面、１６ｂ１…第一のリブ、１７…ランプケース固定部、１７ａ…光軸路、１７ｂ、１７ｃ…位置決め穴、１７ｄ…受け部、１７ｄ１…受け面、１８…蓋体、１８ａ…ベース部、１８ｂ１、１８ｂ２、１８ｂ３…第二のリブ、１９…ネジ
【図１】
2007316312.tif 000003
【図２】
2007316312.tif 000004
【図３】
2007316312.tif 000005
【図４】
2007316312.tif 000006
【図５】
2007316312.tif 000007
【図６】
2007316312.tif 000008
【図７】
2007316312.tif 000009
【図８】
2007316312.tif 000010